(57)【要約】【課題】蓋部材が震えることにより生じる不快な音の発生を防止し得る車両用ゴミ箱を提供する。【解決手段】蓋部材３の係止片25を収納部２の閉止段部22に係合させることにより、全閉状態時に蓋部材３を収納部２に対して確実に固定させることができると共に、蓋部材３の係止片25が開止段部26に係合することにより、全開状態においても蓋部材３を収納部２に対して確実に固定させることができることから、如何なる使用状況においても車両走行中に生じる振動によって蓋部材３が震えることを抑制でき、かくして、蓋部材３が震えることにより生じる不快な音の発生を防止し得る。【選択図】図４
2010111138.tif 000002
【特許請求の範囲】
【請求項１】
開口部を有した有底状の収納部を備えた車両用ゴミ箱であって、
前記開口部は、前記収納部に回動自在に軸着された蓋部材を備え、前記蓋部材には、該蓋部材を開閉状態で保持可能な係止片が設けられており、前記収納部の外面には、前記蓋部材の開閉各位置で前記係止片と係合可能な段部が、前記開閉各位置に設けられている
ことを特徴とする車両用ゴミ箱。
【請求項２】
前記段部は、ストッパ部と固定部との２段構造でなる
ことを特徴とする請求項１記載の車両用ゴミ箱。
【発明の詳細な説明】
【技術分野】
【０００１】
本発明は車両用ゴミ箱に関し、例えば車両内に装着された状態で使用される車両用ゴミ箱に適用して好適なものである。
【背景技術】
【０００２】
従来、車両内に設けられる車両用ゴミ箱としては、箱状からなる収納部に開口部を備え、この開口部の上側部分を蓋部材で覆い、付勢機構によって蓋部材を閉状態に付勢する車両用ゴミ箱が知られている（例えば、特許文献１参照）。また、その他の車両用ゴミ箱としては、中央の仕切壁により、上方が開口した２個の室に分割された箱体たる収納部と、これら２個の室の各開口部の上に開閉自在に取り付けられた２個の蓋部材とからなり、各蓋部材に設けられた透孔が当該蓋部材両方を開いたときに重合しないように形成され、車室内構造物に取り付けるための取付け手段を収納部に備えた車両用ゴミ箱が知られている（例えば、特許文献２参照）。
【特許文献１】特許第４００４３７７号
【特許文献２】実登第３００８９３８号
【発明の開示】
【発明が解決しようとする課題】
【０００３】
ところで、かかる構成でなるこれら車両用ゴミ箱では、車両走行中に生じる振動が蓋部材にまで伝わることにより当該蓋部材が震え、その結果、蓋部材が振動に応じて収納部と接触することにより不快な音が発生してしまうという問題があった。
【０００４】
本発明は、このような状況を鑑みてなされたもので、蓋部材が震えることにより生じる不快な音の発生を防止し得る車両用ゴミ箱を提供することを目的とする。
【課題を解決するための手段】
【０００５】
かかる課題を解決するため本発明において、請求項１記載の発明では、開口部を有した有底状の収納部を備えた車両用ゴミ箱であって、前記開口部は、前記収納部に回動自在に軸着された蓋部材を備え、前記蓋部材には、該蓋部材を開閉状態で保持可能な係止片が設けられており、前記収納部の外面には、前記蓋部材の開閉各位置で前記係止片と係合可能な段部が、前記開閉各位置に設けられていることを特徴とするものである。
【０００６】
また、請求項２記載の発明では、前記段部は、ストッパ部と固定部との２段構造でなることを特徴とするものである。
【発明の効果】
【０００７】
請求項１記載の発明によれば、閉状態において蓋部材の係止片を収納部の段部に係合させ、蓋部材を収納部に対して保持させることができると共に、開状態においても蓋部材の係止片を段部に係合させ、蓋部材を収納部に対して確実に保持させることができるので、如何なる使用状況においても車両走行中に生じる振動によって蓋部材が震えることを抑制でき、かくして、蓋部材が震えることにより生じる不快な音の発生を防止し得る。
【発明を実施するための最良の形態】
【０００８】
以下図面に基づいて、本発明の一実施の形態を詳述する。
【０００９】
（１）車両用ゴミ箱の全体構成
図１（Ａ）及び（Ｂ）において、１は本発明による車両用ゴミ箱１を示し、この車両用ゴミ箱１は、車両内のセンターコンソールの下方に設けられた設置領域ＥＲに収納部２が着脱自在に装着され、有底状の収納部２に対して蓋部材３が開閉自在に軸着されている。かくして、この車両用ゴミ箱１は、使用時、蓋部材３を開けて、車内で不要となった紙くず等のゴミを収納部２内に収納し得るようになされている。
【００１０】
因みに、この実施の形態の場合、図２に示すように、車両内の設置領域ＥＲは、ほぼＪ字状に形成されており、傾斜している壁部に物品支持具４が固着されている。この物品支持具４は、円盤状の基部５とこの基部５と一体成形された円盤状の保持部６との間に環状の隙間Ｇが形成されており、当該隙間Ｇに車両用ゴミ箱１を着脱自在に係止させ、設置領域ＥＲに装着し得るようになされている。
【００１１】
実際上、この車両用ゴミ箱１は、図３に示すように、収納部２の背面2aに取付部８が形成されており、この取付部８に物品支持具４を係止させ得るようになされている。収納部２の背面2aには、中央部分に四角錐台状に凹んだ凹領域９が形成されており、この凹領域９上部に取付部８が設けられている。取付部８は、逆Ｕ字状に切り欠かれて突出した領域10を有し、この切り欠かれた領域10に物品支持具４の隙間Ｇが嵌め込まれることにより、物品支持具４が係止され得るようになされている。
【００１２】
図４に示すように、実際上、この車両用ゴミ箱１は、不使用時、収納部２の本体縁部11の一部と、蓋部材３の蓋体縁部12の一部とをほぼ合わせることにより、収納部２の内部に形成された収納空間13を、蓋部材３によって覆い隠すようにして外部空間から閉塞し、当該収納空間13のゴミ（図示せず）が外部から視認し得ないように構成されている。
【００１３】
車両用ゴミ箱１には、図５に示すように、蓋部材３の一対の側板14a，14bの各裏面に円柱状の回動突起部15が立設されており、収納部２の一対の側面18a，18bに穿設された貫通孔19に、回動突起部15が嵌め込まれることにより、回動突起部15を回動軸として蓋部材３が収納部２に対し回動自在に設けられ得るようになされている。
【００１４】
因みに、この実施の形態の場合、収納部２の一対の側面18a，18bには、貫通孔19周辺下方に外方に僅かに膨出した外面膨出部16aが形成されており、この外面膨出部16aが蓋部材３の回動突起部15の周辺に当接し、収納部２に対して蓋部材３が回動突起部15周辺で回動軸方向ｘに揺れ動くことを防止し得るようになされている。また、蓋部材３の一対の側板14a，14bにも、収納部２の外面膨出部16aを避けるようにして回動突起部15の周辺領域に内方に膨出した内面膨出部16bが形成されており、当該内面膨出部16bが収納部２の側面18a，18bに当接し、回動突起部15周辺において蓋部材３が回動軸方向ｘに揺れ動くことを防止し得るようになされている。
【００１５】
かくして、車両用ゴミ箱１は、図６に示すように、回動軸Ｓを中心にして収納部２の本体縁部11から蓋部材３の蓋体縁部12を離間させて収納空間13を外部空間に開放する開放方向ＯＰ、及びこれとは逆に収納部２の本体縁部11の一部に蓋部材３の蓋体縁部12の一部を合わせて収納空間13を外部空間から閉塞する閉塞方向ＣＬに、蓋部材３を回動させ得るようになされている。
【００１６】
かかる構成に加えてこの車両用ゴミ箱１は、図４に示したように、収納部２の本体縁部11の所定位置に閉塞固定部20と閉塞ストッパ部21とからなる閉止段部22が形成されており、蓋部材３によって収納空間13全体を外部空間から閉塞した状態（以下、これを全閉状態と呼ぶ）のとき、蓋部材３の蓋体縁部12に形成された係止片25が当該閉塞固定部20に係合することにより、収納部２に対して蓋部材３を全閉状態で保持し得るようになされている（詳しくは後述する）。
【００１７】
そして、車両用ゴミ箱１は、収納部２に対して全閉状態で保持した蓋部材３に開放方向ＯＰへ所定以上の力を加えることにより、蓋部材３の係止片25が収納部２の閉塞固定部20から係合解除され、蓋部材３を開放方向ＯＰへ回動させ得るようになされている。
【００１８】
また、これに加えて車両用ゴミ箱１は、収納部２の外面の所定位置に開止段部26が形成されており、収納部２の本体縁部11から蓋部材３の蓋体縁部12を離間させて収納空間13全体を外部空間に開放した状態（以下、これを全開状態と呼ぶ）のとき、蓋体縁部12の係止片25が、当該開止段部26に係合することにより、収納部２に対して蓋部材３を全開状態で保持し得るようになされている（詳しくは後述する）。
【００１９】
そして、車両用ゴミ箱１は、収納部２に対して全開状態で保持した蓋部材３に閉塞方向ＣＬへ所定以上の力を加えることにより、蓋部材３の係止片25が収納部２の開止段部26から係合解除され、蓋部材３を閉塞方向ＣＬへ回動させ得るようになされている。なお、図６では、全閉状態の蓋部材３を実線で示し、全開状態の蓋部材３を一点鎖線で示している。
【００２０】
（２）収納部及び蓋部材の詳細構成
次にこれら収納部２及び蓋部材３の詳細構成について以下説明する。図７、図８及び図９に示すように、収納部２は、角部がまるみを帯び、かつ中空な略直方体状の外形を有しており、内部にゴミを収納するための収納空間13が形成されている。なお、この収納部２は、合成樹脂材からなり全体が一体成形によって作製され得る。
【００２１】
収納部２には、収納空間13の上方に開口部28が形成され、この開口部28を取り囲むようにして本体縁部11を有する。本体縁部11には、収納部２の正面2b側に形成された本体縁部（以下、これを正面側縁部と呼ぶ）30と、収納部２の背面2a側に形成された本体縁部（以下、これを背面側縁部と呼ぶ）31とがほぼ平行に配置されている。
【００２２】
かかる構成に加えて、収納部２には、開口部28を取り囲む本体縁部11のうち、蓋部材３の回動方向（開放方向ＯＰ及び閉塞方向ＣＬ）と直交する正面側縁部30の中央領域に、閉塞固定部20が形成されており、この閉塞固定部20に蓋部材３の係止片25が係合し得るようになされている。この閉塞固定部20は、角部がまるみを帯びた略三角柱状の外形で所定長さからなり、長手方向が収納部２の正面側縁部30に沿うようにして一体成形されている。
【００２３】
実際上、この閉塞固定部20は、図８に示すように、先端角部が収納部２の正面2bから外方へ向けて僅かに膨出するように形成されており、下方面部33の傾斜が上方面部34の傾斜よりも緩やかに形成されている。これにより閉塞固定部20は、蓋部材３が全開状態から全閉状態に移行する際に、閉塞方向ＣＬに向けて所定以上の力が加わることによって当該蓋部材３の係止片25が閉塞固定部20の下方面部33を乗り越えて、上方面部34に位置決めされ得るようになされている。
【００２４】
これに加えて収納部２には、開口部28を取り囲む本体縁部11のうち、蓋部材３の回動方向と直交する背面側縁部31の中央領域に、閉塞ストッパ部21が形成されており、この閉塞ストッパ部21に蓋部材３の蓋体縁部12が当接して、蓋部材３が全閉状態の位置（閉位置）に位置決めされ得る。この閉塞ストッパ部21は、背面側縁部31と平行に配置される壁部36と、当該壁部か36ら開口部28側に突出した突出片37とから構成されており、全体が凸状に形成されている。
【００２５】
閉塞ストッパ部21は、その全体が背面側縁部31から上方に向けて突出すると共に、収納部２の外面から外方に向けて突出するように形成されており、蓋部材３が全閉状態のとき、蓋部材３の蓋体縁部12を壁部36で受け止め、蓋部材３の蓋体縁部12に形成された凹部（後述する）内に突出片37を配置させて位置決めし得るようになされている。
【００２６】
また、これに加えて収納部２には、正面2bと下面2cとの間に緩やかに湾曲してまるみを帯びるように形成された湾曲領域に、開止段部26が形成されており、当該開止段部26に蓋部材３の係止片25が係合することにより、蓋部材３が全開状態の位置（開位置）で保持され得る。
【００２７】
実際上、開止段部26は、開放方向ＯＰへ回動した蓋部材３を全開状態で受け止める開放ストッパ部40と、当該開放ストッパ部40よりも正面2b側（開放方向ＯＰ側）に形成され、かつ当該係止片25と係合する開放固定部41とから構成されている。
【００２８】
ここで、開放ストッパ部40は、角部がまるみを帯びた略三角柱状の外形で所定長さを有し、その長手方向が閉塞固定部20の長手方向と平行に配置されるように収納部２の外面に一体成形されている。実際上、開放ストッパ部40は、先端角部が収納部２の表面から外方へ向けて膨出するように形成されており、全開状態の蓋部材３に対し開放方向ＯＰへ向けて力が加えられても、当該蓋部材３の係止片25が乗り越えられないような高さ寸法に選定され、当該蓋部材３を全開状態の位置で確実に受け止めて位置決めし得るようになされている。
【００２９】
また、図８に示すように、開放固定部41は、角部がまるみを帯びた略山型状の外形を有しており、先端角部が開放ストッパ部40よりも低く、かつ上方面部42の傾斜が下方面部43の傾斜よりも緩やかに形成され、先端角部が収納部２の外面から外方へ向けて僅かに膨出し得るように構成されている。これにより開放固定部41は、蓋部材３が全閉状態から全開状態に移行する際に、開放方向ＯＰに向けて所定以上の力が加わることによって当該蓋部材３の係止片25が開放固定部41の上方面部42を乗り越えて、下方面部43に位置決めされ係合し得るようになされている。
【００３０】
また、図７及び図８に示すように、この開放固定部41は、所定長さからなり、その長手方向が開放ストッパ部40の長手方向と平行に配置されると共に、開放ストッパ部40と所定間隔を空けて配置されるようにして収納部２の外面に一体成形されている。これにより蓋部材３が全開状態のときには、開放固定部41及び開放ストッパ部40間に蓋部材３の係止片25が係合されることにより、収納部２に対して蓋部材３が保持され得るようになされている。
【００３１】
次に蓋部材３の詳細構成について以下説明する。図１０及び図１１に示すように、蓋部材３は、全体が合成樹脂材からなり、角部がまるみを帯びた略三角形状の側板14a，14bが対向するように配置され、これら側板14a，14bの対向する一辺間にまるみを帯びた天板49が一体成形された構成を有する。
【００３２】
天板49は、蓋部材３が全閉状態のとき、収納部２の開口部28全体を覆うように形成されており、収納部２の正面側縁部30と合わさる蓋体縁部（以下、これを係止縁部と呼ぶ）50の裏面に、内側へ向けて突出した係止片25が一体成形されている。係止片25は、略三角柱状の外形からなり、係止縁部50に沿って平行に形成されており、先端角部の角度が約６０°程度に選定されている。これに加えて、天板49には、係止縁部50と平行して対向する蓋体縁部（以下、これを当接縁部と呼ぶ）51に、収納部２の突出片37と同一形状からなり、かつ当該突出片37とは一回り小さい凹部52が形成されている。
【００３３】
かくして、蓋部材３は、図１２に示すように、全閉状態のとき、係止片25が収納部２の閉塞固定部20の下方面部33を乗り越えて上方面部34に係合することにより、車両走行中に生じる僅かな外力によって開放方向ＯＰ側へ回動することを防止し得るようになされている。
【００３４】
また、蓋部材３は、全閉状態のとき、当接縁部51が収納部２の壁部36に当接することにより位置決めされ、全閉状態からさらに閉塞方向ＣＬへ回動しすぎることを防止し得るようになされている。この際、蓋部材３は、凹部52内に収納部２の突出片37が配置されるように形成されており、当該凹部52と突出片37とが位置決めされることで、収納部２に対して蓋部材３を正確に位置決めし得る。
【００３５】
また、蓋部材３に対して開放方向ＯＰへ所定以上の力Ｆ１が与えられたときには、蓋部材３の係合片25が収納部２の閉塞固定部20を乗り越えて係合解除されることにより、蓋部材３が開放方向ＯＰへ回動し、蓋部材３の係止片25が開放固定部41を乗り越えて蓋部材３の係止縁部50が開放ストッパ40に当接する。
【００３６】
これにより蓋部材３は、図１３に示すように、係止片25が開放固定部41に係合することにより閉塞方向ＣＬへ回動することを防止し得るようになされている。また、このとき蓋部材３の係合片25は、収納部２の開放固定部41と開放ストッパ40との間に嵌め込まれることにより係合し、収納部２に対して蓋部材３を保持し得るようになされている。
【００３７】
また、蓋部材３に対して閉塞方向ＣＬへ所定以上の力Ｆ２が与えられたときには、蓋部材３の係合片25が収納部２の開放固定部41を乗り越えて係合解除されることにより、蓋部材３を閉塞方向ＣＬへ回動し得るようになされている。
【００３８】
（３）動作及び効果
以上の構成において、車両用ゴミ箱１では、不使用時、使用者によって全開状態の蓋部材３が力Ｆ２以上で閉塞方向ＣＬへ回動されてゆくと、蓋部材３の係止片25が収納部２の閉塞固定部20を乗り越えると共に、蓋部材３の当接縁部51が収納部２の壁部36に当接することにより、収納部２に対し蓋部材３が全閉状態で位置決めされる。このとき車両用ゴミ箱１では、蓋部材３の係止片25が収納部２における閉塞固定部20の上方面部34に係合することにより、全閉状態時に蓋部材３を収納部２に対して強固に保持させることができる。
【００３９】
また、このとき車両用ゴミ箱１では、蓋部材３の凹部52内に収納部２の突出片37を配置させることにより、全閉状態時に収納部２に対して蓋部材３を正確に位置決めさせることができると共に、凹部52内に突出片37が収納されることで、凹部52と突出片37とが接触して収納部２に対して蓋部材３が回動軸方向ｘへ揺れ動くことを防止することができる。
【００４０】
かくして、この車両用ゴミ箱１では、蓋部材３を閉じて収納部２の開口部28を閉塞させた不使用時において、閉止段部22及び係止片25によって蓋部材３を収納部２に対して強固に保持させ、車両走行中に生じる振動によって蓋部材３が震えることを抑制することができる。
【００４１】
これに対して、車両用ゴミ箱１では、使用時、使用者によって全閉状態の蓋部材３が力Ｆ１以上で開放方向ＯＰへ回動されてゆくと、蓋部材３の係止片25が収納部２の閉塞固定部20を乗り越えて係合解除される。これにより車両用ゴミ箱１では、蓋部材３が収納部２に沿って開放方向ＯＰへ回動してゆき、蓋部材３の係止片25が開放固定部41を乗り越えると共に、蓋部材３の係止縁部50が開放ストッパ部40に当接して、収納部２に対し蓋部材３が全閉状態で位置決めされる。このとき、車両用ゴミ箱１では、蓋部材３の係止片25が開放固定部41及び開放ストッパ部40間に係合することにより、全開状態においても蓋部材３を収納部２に対して強固に保持させることができる。
【００４２】
かくして、この車両用ゴミ箱１では、蓋部材３を開いて収納部２の開口部28を開放させた使用時においても、開止段部26及び係止片25によって蓋部材３を収納部２に対して強固に保持させ、車両走行中に生じる振動によって蓋部材３が震えることを抑制することができる。
【００４３】
また、この車両用ゴミ箱１では、蓋部材３が開閉時に乗り上げ不可能な閉塞ストッパ部21及び開放ストッパ部40が設けられていることから、全閉状態及び全開状態の各位置で確実に蓋部材３を停止させることができる。さらに、この車両用ゴミ箱１では、係止片25を蓋部材３に一体成形すると共に、閉止段部22及び開止段部26を収納部２に一体成形することにより形成されることから、蓋部材３を保持するための回動フック等の係止手段を収納部２とは別に設ける必要がなくなり、このような複雑な機械的構成を省くことができる分だけ、簡易な構成にできると共に、コスト低減を図ることができる。
【００４４】
以上の構成によれば、蓋部材３の係止片25を収納部２の閉止段部22に係合させることにより、全閉状態時に蓋部材３を収納部２に対して確実に固定させることができると共に、蓋部材３の係止片25が開止段部26に係合することにより、全開状態においても蓋部材３を収納部２に対して確実に固定させることができることから、如何なる使用状況においても車両走行中に生じる振動によって蓋部材３が震えることを抑制でき、かくして、蓋部材３が震えることにより生じる不快な音の発生を防止し得る。
【００４５】
なお、本発明は上述した実施の形態に限定されるものではなく、本発明の要旨の範囲内において種々の変形実施が可能である。例えば、上述した実施の形態においては、蓋部材３が全閉状態のとき、収納部２に設けた突出片37が蓋部材３の凹部52に位置決めされる場合について述べたが、本発明はこれに限らず、閉塞ストッパ部21に凹部を設け、蓋部材３に突出片を設けることにより、当該凹部及び突出片によって収納部２に対し蓋部材を位置決めするようにしてもよい。
【００４６】
また、段部としての閉止段部22及び開止段部26や、蓋部材３の係止片25については、蓋部材３の回動角度、蓋部材３の全閉状態及び全開状態での位置、開口部26における所定の開口範囲等この他種々の構成に応じて、収納部２の外面において種々の箇所に設けるようにしてもよい。
【図面の簡単な説明】
【００４７】
【図１】本発明による車両用ゴミ箱を車両用に装着させたときの様子を示す概略図である。
【図２】車両用ゴミ箱を装着するための物品支持具の構成を示す概略図である。
【図３】車両用ゴミ箱の背面構成を示す概略図である。
【図４】車両用ゴミ箱の正面構成を示す概略図である。
【図５】蓋部材及び収納部の縦断面構成を示す縦断面図である。
【図６】蓋部材の全閉状態及び全開状態のときの様子を示す概略図である。
【図７】収納部の正面構成を示す概略図である。
【図８】収納部の側面構成を示す概略図である。
【図９】収納部の側断面構成を示す側断面図である。
【図１０】蓋部材の正面構成を示す概略図である。
【図１１】蓋部材の側断面構成を示す側断面図である。
【図１２】蓋部材が全閉状態のときの車両用ゴミ箱の側断面構成を示す側断面図である。
【図１３】蓋部材が全開状態のときの車両用ゴミ箱の側断面構成を示す側断面図である。
【符号の説明】
【００４８】
１  車両用ゴミ箱
２  収納部
３  蓋部材
22  閉止段部（段部）
20  閉塞固定部（固定部）
21  閉塞ストッパ部（ストッパ部）
26  開止段部（段部）
40  開放ストッパ部（ストッパ部）
41  開放固定部（固定部）
【図１】
2010111138.tif 000003
【図２】
2010111138.tif 000004
【図３】
2010111138.tif 000005
【図４】
2010111138.tif 000006
【図５】
2010111138.tif 000007
【図６】
2010111138.tif 000008
【図７】
2010111138.tif 000009
【図８】
2010111138.tif 000010
【図９】
2010111138.tif 000011
【図１０】
2010111138.tif 000012
【図１１】
2010111138.tif 000013
【図１２】
2010111138.tif 000014
【図１３】
2010111138.tif 000015